【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
パイプラインを密封するための装置であって、
本体（１０１）を含むプラッギング機（１００）と、
前記プラッギング機（１００）の前記本体（１０１）によって支持され、その下を延在する剛性チューブ（２）と、
前記剛性チューブ（２）の下端（２Ｂ）と一体化した固定ディスク（３）であって、前記剛性チューブ（２）の内部キャビティ（２０）が連通する軸方向貫通開口（３０）を備え、かつ切頭円錐状の形状の面（３１）を有する固定ディスク（３）と、
前記固定ディスク（３）と同軸に配置され、かつ対向する可動ディスク（４）であって、当該可動ディスク（４）の各面（４１）が前記固定ディスク（３）の前記面（３１）の切頭円錐形の輪郭と対称の切頭円錐形の輪郭を有し、前記可動ディスク（４）は、前記固定ディスク（３）の前記軸方向貫通開口（３０）に摺動可能に挿入されるよう適用される軸方向シャンク（４０）を含む、これにより、それらの間の相互距離が調整可能となる、可動ディスク（４）と、
前記固定ディスク（３）と前記可動ディスク（４）との間に挟まれる台形の断面を有するエラストマー材料のシールリング（５０）であって、軸方向圧縮が前記固定ディスクと前記可動ディスクとによって生じるときに、外側半径方向に膨張するように構成される、シールリング（５０）と、
前記剛性チューブ（２）に摺動可能に挿入される制御ロッド（６）であって、上方に延在して前記プラッギング機（１００）の前記本体（１０１）から出て、かつ下方に延在して前記可動ディスク（４）の前記軸方向シャンク（４０）に接する制御ロッド（６）と、
前記制御ロッド（６）の下部（６Ｂ）と前記可動ディスク（４）の前記軸方向シャンク（４０）との間に設けられる摺動駆動手段（７）であって、前記制御ロッド（６）の軸方向の移動によって作動して、前記軸方向シャンク（４０）と前記可動ディスク（４）とを前記固定ディスク（３）から離れる、あるいは前記固定ディスク（３）に近づけるように動かし、前記摺動駆動手段（７）は、互いに平行であるが前記剛性チューブ（２）の軸方向の中心線に対して傾いた、２つの面（７１、７２）を含み、当該２つの面（７１、７２）は、前記可動ディスクの前記軸方向シャンク（４０）の相補的な部分に係合するように構成される、摺動駆動手段（７）と、
前記制御ロッド（６）の前記軸方向の動きを生じさせるために設けられる前記制御ロッド（６）の上部（６Ａ）に設けられる操作手段（８）と
を含む装置。
【請求項２】
パイプラインを密封するための装置（１）であって、
垂直面に対して斜角をなす軸方向中央線を有する剛性チューブ（２）と、
前記剛性チューブ（２）の下端（２Ｂ）に位置する固定ディスク（３）であって、切頭円錐状の輪郭を有する固定ディスク（３）と、
前記固定ディスク（３）の反対側に配置された可動ディスク（４）であって、前記固定ディスク（３）の切頭円錐形の輪郭と対向する切頭円錐形の輪郭を有し、前記固定ディスク（３）を貫通する軸方向シャンク（４０）を含む可動ディスク（４）と、
前記固定ディスク（３）と前記可動ディスク（４）との間に位置するエラストマー材料のシールリング（５０）であって、前記固定ディスク（３）と前記可動ディスク（４）とが、当該前記固定ディスク（３）と前記可動ディスク（４）のそれぞれの前記切頭円錐形に対して相補的となる側面の輪郭を有する、シールリング（５０）と、
前記剛性チューブ（２）から横断的に突起する少なくとも１つのスライダであって、当該少なくとも１つのスライダは、互いに平行であるが前記剛性チューブ（２）の軸方向の中心線に対して傾いた、２つの面（７１、７２）を含み、当該２つの面（７１、７２）は、前記軸方向シャンク（４０）の相補的な部分に係合するように構成される、少なくとも１つのスライダと、を含み、
前記少なくとも１つのスライダにかかる力が、前記固定ディスクに対する前記可動ディスクの軸方向の動きを生じさせる、装置。
【請求項３】
更に、前記剛性チューブ（２）に摺動可能に挿入され、前記可動ディスク（４）の軸方向シャンク（４０）に接する制御ロッド（６）を備える、請求項２に記載の装置。
【請求項４】
更に、前記制御ロッド（６）の軸方向の動きを生じさせるために、前記制御ロッド（６）の上部（６Ａ）に設けられる、操作手段（８）を備える、請求項３に記載の装置。
【請求項５】
更に、
軸方向貫通開口（３０）を含む前記固定ディスクと、
前記固定ディスクの前記軸方向貫通開口（３０）に摺動可能に挿入されるシャンク（４０）を含む前記可動ディスクと
を備える、請求項２に記載の装置。
【請求項６】
前記エラストマー材料のシールリング（５０）は、前記可動ディスクと前記固定ディスクとによって生じる軸方向圧縮を介して膨張状態と収縮状態との間で推移する、請求項２に記載の装置。
【請求項７】
前記軸方向シャンク（４０）内の相補的な部分に溝（４４）を有する、請求項２に記載の装置。
【請求項８】
前記制御ロッド（６）の下部（６Ｂ）に２つの平行な平坦面（６０）が形成され、前記可動ディスク（４）の前記軸方向シャンク（４０）には、当該軸方向シャンク（４０）の中央面に位置する長手方向スリット（４２）が含まれ、当該長手方向スリット（４２）が、溝（４４）を有し、前記平坦面（６０）を有する前記制御ロッド（６）の前記下部（６Ｂ）の摺動挿入、および前記少なくとも１つのスライダ（７０）の対応する前記溝（４４）への係合を可能にするよう構成される、請求項３に記載の装置。
【請求項９】
前記少なくとも１つのスライダ（７０）および前記溝（４４）は、前記固定ディスク（３）および前記可動ディスク（４）の軸に対して５５°から６０°の間の角度だけ傾斜している、請求項７に記載の装置。
【請求項１０】
前記操作手段（８）が、ねじリング（８２）に形成されるねじ孔（８１）と噛み合うよう意図される、前記制御ロッド（６）の前記上部（６Ａ）に形成されたねじ山（８０）を含む、請求項４に記載の装置。
【請求項１１】
更に、
内側部分が外側部分に対してわずかに突出した状態で、前記固定ディスク（３）の面（３１）内に形成された、第１の環状リム（３１０）と
前記可動ディスク（４）の前記面（４１）内に形成された、第２の鏡状環状リム（４１０）と、
同じ第１及び第２の環状リム（３１０、４１０）の間に画定された台形の断面を有する環状溝（５）であって、前記環状溝が、相補的な台形の断面を有する前記シールリング（５０）を受け入れるよう構成された、前記環状溝（５）とを含む、請求項２に記載の装置。
【請求項１２】
前記剛性チューブ（２）および前記固定ディスク（３）は、単一体として一体化される、請求項２に記載の装置。
【請求項１３】
前記剛性チューブ（２）の前記軸方向中央線は、前記固定ディスク（３）の軸に対して３°から６°の角度だけ傾斜する、請求項２に記載の装置。
【請求項１４】
前記剛性チューブ（２）と前記固定ディスク（３）の位置を安定させるために、回転防止手段（９）が、前記剛性チューブ（２）と関連して、前記固定ディスク（３）のおよび前記可動ディスク（４）の軸が水平面上で一致するようにする、請求項２に記載の装置。
【請求項１５】
前記回転防止手段（９）が、前記剛性チューブ（２）の上端部（２Ａ）に係止されるフランジ（９０）を含み、バー（９１）が前記フランジから半径方向に突き出し、プラッギング機（１００）の本体（１０１）のフォーク（９２）に入るよう適用される、請求項１４に記載の装置。
【請求項１６】
前記バー（９１）は、前記フランジ（９０）に対して蝶番で止められて、前記フォーク（９２）の拘束から解放されるように上方に回転することができる、請求項１５に記載の装置。